(57)【要約】      （修正有）【課題】スライドグラスが割れることを防止すると共に、スライドグラスに様々な機能を付加する。【解決手段】矩形形状を有する樹脂製の板状部材４の長手方向の両端近傍の少なくとも一方の前記板状部材４の一方の面と他方の面との間に密閉空間６が形成され、前記密閉空間６に機能部材８が封入されている、多機能スライドガラス２。【選択図】図１
2018155525.tif 000002
【特許請求の範囲】
【請求項１】
矩形形状を有する樹脂製の板状部材の長手方向の両端近傍の少なくとも一方の前記板状部材の一方の面と他方の面との間に密閉空間が形成され、前記密閉空間に機能部材が封入されていることを特徴とする多機能スライドグラス。
【請求項２】
前記機能部材は、磁性体であることを特徴とする請求項１記載の多機能スライドグラス。
【請求項３】
前記機能部材は、浮力発生部材であることを特徴とする請求項１記載の多機能スライドグラス。
【請求項４】
前記機能部材は、ＩＣチップであることを特徴とする請求項１記載の多機能スライドグラス。
【発明の詳細な説明】
【技術分野】
【０００１】
本発明は、プレパラートの作成に用いられるスライドグラスに関するものである。
【背景技術】
【０００２】
顕微鏡観察で用いられるプレパラートは、スライドグラス上に薄切した試料を貼り付け、試料をカバーグラスの下に封入したものである（例えば特許文献１）。ここでプレパラートの作成に用いられるスライドグラスやカバーグラスの多くはガラス製であることから、作業中に割れることがある。
【先行技術文献】
【特許文献】
【０００３】
【特許文献１】特開平９−３３４０７号公報
【発明の概要】
【発明が解決しようとする課題】
【０００４】
従ってスライドグラス上に貼り付けられた薄切した試料を染色する染色装置や、スライドグラス上に貼り付けられた試料をカバーグラスの下に封入する封入機においては、スライドグラスに衝撃が加わらないように搬送部を設計する必要があった。
【０００５】
また従来のプレパラートは、顕微鏡により試料の観察を良好に行うことができるように構成されていたが、プレパラートに特別な機能を付加することは行っていなかった。
【０００６】
本発明の目的は、スライドグラスが割れることを防止すると共に、このスライドグラスを用いて作製したプレパラートに様々な機能を付加することである。
【課題を解決するための手段】
【０００７】
本発明の多機能スライドグラスは、矩形形状を有する樹脂製の板状部材の長手方向の両端近傍の少なくとも一方の前記板状部材の一方の面と他方の面との間に密閉空間が形成され、前記密閉空間に機能部材が封入されていることを特徴とする。
【０００８】
本発明の多機能スライドグラスは、前記機能部材が磁性体であることを特徴とする。
【０００９】
本発明の多機能スライドグラスは、前記機能部材が浮力発生部材であることを特徴とする。
【００１０】
本発明の多機能スライドグラスは、前記機能部材がＩＣチップであることを特徴とする。
【発明の効果】
【００１１】
本発明によれば、スライドグラスが割れることを防止すると共に、このスライドグラスを用いて作製したプレパラートに様々な機能を付加することができる。
【図面の簡単な説明】
【００１２】
【図１】実施の形態に係る多機能スライドグラスの平面図である。
【図２】実施の形態に係る多機能スライドグラスの断面図（図１に示すＡ−Ａ断面図）である。
【図３】実施の形態に係る多機能スライドグラスを用いて作成したプレパラートの側面図である。
【図４】実施の形態に係る他の多機能スライドグラスの断面図である。
【図５】実施の形態に係る他の多機能スライドグラスの断面図である。
【図６】実施の形態に係る他の多機能スライドグラスの断面図である。
【図７】実施の形態に係る他の多機能スライドグラスの断面図である。
【発明を実施するための形態】
【００１３】
以下、図面を参照して、実施の形態に係る多機能スライドグラスについて説明する。図１は、実施の形態に係る多機能スライドグラスの平面図、図２は、実施の形態に係る多機能スライドグラスの断面図（図１に示すＡ−Ａ断面図）である。図１及び図２に示すように、本実施の形態に係る多機能スライドグラス２は、矩形形状を有する樹脂製の板状部材４の長手方向の両端近傍に密閉空間６が形成されている。
【００１４】
ここで板状部材４は、板状部材４の一方の面５ａを形成する第１板状部材４ａ、板状部材４の他方の面５ｂを形成する第２板状部材４ｂ、及び第１板状部材４ａと第２板状部材４ｂの間に位置する第３板状部材４ｃを張り合わせて形成されている。第３板状部材４ｃには、長手方向の両端近傍に円形の穴が形成されており、第３板状部材４ｃの上部に第１板状部材４ａが張り合わされ、第３板状部材４ｃの下部に第２板状部材４ｂが張り合わされることにより、第３板状部材４ｃに形成された穴が密閉空間６を構成する。
【００１５】
密閉空間６には、機能部材８が封入されており、機能部材８としては、鉄や磁石などの磁性体、空気や発泡スチロールなどの浮力発生部材、ＲＦＩＤチップやＮＦＣチップなどのＩＣチップなどを挙げることができる。
【００１６】
図３は、多機能スライドグラス２を用いて作製したプレパラート１０の側面図である。プレパラート１０は、多機能スライドグラス２上に薄切した試料１２を貼り付け、試料１２をカバーグラス１４の下に封入することにより作製することができる。
【００１７】
本実施の形態に係る多機能スライドグラス２においては、密閉空間６に鉄や磁石などの磁性体を封入した場合には、電磁石を用いて搬送、仕分け等を行うことができる。また多機能スライドグラス２に薄切した試料を貼り付けたものを染色装置の染色漕内の染色液中に入れ、電磁石により多機能スライドグラス２を振動させることにより、染色の程度等を制御することができる。
【００１８】
また多機能スライドグラス２を用いて作製したプレパラート１０を顕微鏡ステージの特定の位置に電磁石により固定することが可能となるため、顕微鏡ステージにクランプを設ける必要がなくなる。
【００１９】
また多機能スライドグラス２の密閉空間６に空気や発泡スチロールなどの浮力発生部材を封入した場合には、多機能スライドグラス２及びこの多機能スライドグラス２を用いて作製したプレパラート１０に浮力を持たせることができる。従って、薄切した試料の切片を水に浮かせたものを、水に浮かせた多機能スライドグラス２で掬い、多機能スライドグラス２上に試料の切片を載せることができる。この場合の水上、または水中における多機能スライドグラス２の位置の制御は、密閉空間６に磁性体を封入しておくことにより、電磁石を用いて行うことができる。
【００２０】
また多機能スライドグラス２の密閉空間６にＲＦＩＤチップやＮＦＣチップなどのＩＣチップを封入した場合には、多機能スライドグラス２及びこの多機能スライドグラス２を用いて作製したプレパラート１０に記憶機能を付加することができる。この場合、例えば一方の密閉空間６にＵＨＦ帯のＲＦＩＤチップを封入し、他方の密閉空間６にＮＦＣチップを封入し、ＵＨＦ帯のＲＦＩＤチップにはプレパラートシリアル番号を記憶させ、ＮＦＣチップには標本番号を記憶させるなど、プレパラート１０にラベルの貼り付けスペースがない場合等に有効に利用にすることができる。
【００２１】
従って、多機能スライドグラス２に様々な機能を付加することができると共に、この多機能スライドグラス２を用いて作製したプレパラート１０に様々な機能を付加することができる。
【００２２】
図４は実施の形態に係る他の多機能スライドグラス２０の断面図である。この断面図は、図１に示すＡ−Ａの位置と同様な位置における、多機能スライドグラス２０の断面図である。なお多機能スライドグラス２０の説明においては、多機能スライドグラス２の構成と同一の構成には、多機能スライドグラス２の説明で用いたのと同じ符号を用いて説明を行う。
【００２３】
図４に示すように、本実施の形態に係る多機能スライドグラス２０は、矩形形状を有する樹脂製の板状部材４の長手方向の両端近傍に密閉空間６が形成されている。
【００２４】
ここで板状部材４は、板状部材４の一方の面５ａを形成する第１板状部材４ａ、板状部材４の他方の面５ｂを形成する第２板状部材４ｂ、及び第１板状部材４ａと第２板状部材４ｂの間に位置する第３板状部材４ｃ、第４板状部材４ｄを張り合わせて形成されている。第３板状部材４ｃには、長手方向の一端近傍（図４における左側）に円形の穴が形成されており、第４板状部材４ｄには、長手方向の他端近傍（図４における右側）に円形の穴が形成されている。
【００２５】
第３板状部材４ｃの上部に第１板状部材４ａが張り合わされ、第３板状部材４ｃの下部に第４板状部材４ｄが張り合わされることにより、第３板状部材４ｃに形成された穴が密閉空間６を構成する。また第４板状部材４ｄの上部に第３板状部材４ｃが張り合わされ、第４板状部材４ｄの下部に第２板状部材４ｂが張り合わされることにより、第４板状部材４ｄに形成された穴が密閉空間６を構成する。
【００２６】
この多機能スライドグラス２０においても密閉空間６に、磁性体、浮力発生部材、ＩＣチップなどの機能部材８を封入することにより、多機能スライドグラス２及び多機能スライドグラス２を用いて作製したプレパラート１０と同様に、多機能スライドグラス２０及び多機能スライドグラス２０を用いて作製したプレパラートに様々な機能を付加することができる。
【００２７】
図５は実施の形態に係る他の多機能スライドグラス２２の断面図である。この断面図は、図１に示すＡ−Ａの位置と同様な位置における、多機能スライドグラス２２の断面図である。なお多機能スライドグラス２２の説明においては、多機能スライドグラス２の構成と同一の構成には、多機能スライドグラス２の説明で用いたのと同じ符号を用いて説明を行う。
【００２８】
図５に示すように、本実施の形態に係る多機能スライドグラス２２は、矩形形状を有する樹脂製の板状部材４の長手方向の両端近傍に密閉空間６が形成されている。
【００２９】
ここで板状部材４は、板状部材４の一方の面５ａを形成する第１板状部材４ａ、板状部材４の他方の面５ｂを形成する第２板状部材４ｂ、及び第１板状部材４ａと第２板状部材４ｂの間に位置する第３板状部材４ｃ、第４板状部材４ｄ、第５板状部材４ｅを張り合わせて形成されている。第３板状部材４ｃには、長手方向の一端近傍（図５における左側）に円形の穴が形成されており、第４板状部材４ｄには、長手方向の他端近傍（図５における右側）に円形の穴が形成されており、第５板状部材４ｅには、長手方向の一端近傍（図５における左側）に円形の穴が形成されている。
【００３０】
第３板状部材４ｃの上部に第１板状部材４ａが張り合わされ、第３板状部材４ｃの下部に第４板状部材４ｄが張り合わされることにより、第３板状部材４ｃに形成された穴が密閉空間６を構成する。また第４板状部材４ｄの上部に第３板状部材４ｃが張り合わされ、第４板状部材４ｄの下部に第５板状部材４ｅが張り合わされることにより、第４板状部材４ｄに形成された穴が密閉空間６を構成する。更に第５板状部材４ｅの上部に第４板状部材４ｄが張り合わされ、第５板状部材４ｅの下部に第２板状部材４ｂが張り合わされることにより、第５板状部材４ｅに形成された穴が密閉空間６を構成する。
【００３１】
この多機能スライドグラス２２においても密閉空間６に、磁性体、浮力発生部材、ＩＣチップなどの機能部材８を封入することにより、多機能スライドグラス２及び多機能スライドグラス２を用いて作製したプレパラート１０と同様に、多機能スライドグラス２２及び多機能スライドグラス２２を用いて作製したプレパラートに様々な機能を付加することができる。
【００３２】
図６は実施の形態に係る他の多機能スライドグラス２４の断面図である。この断面図は、図１に示すＡ−Ａの位置と同様な位置における、多機能スライドグラス２４の断面図である。なお多機能スライドグラス２４の説明においては、多機能スライドグラス２の構成と同一の構成には、多機能スライドグラス２の説明で用いたのと同じ符号を用いて説明を行う。
【００３３】
図６に示すように、本実施の形態に係る多機能スライドグラス２４は、矩形形状を有する樹脂製の板状部材４の長手方向の一端近傍（図６における左側）に密閉空間６が形成されている。
【００３４】
ここで板状部材４は、板状部材４の一方の面５ａを形成する第１板状部材４ａ、板状部材４の他方の面５ｂを形成する第２板状部材４ｂ、及び第１板状部材４ａと第２板状部材４ｂの間に位置する第３板状部材４ｃを張り合わせて形成されている。第３板状部材４ｃには、長手方向の一端近傍（図６における左側）に円形の穴が形成されている。
【００３５】
第３板状部材４ｃの上部に第１板状部材４ａが張り合わされ、第３板状部材４ｃの下部に第２板状部材４ｂが張り合わされることにより、第３板状部材４ｃに形成された穴が密閉空間６を構成する。
【００３６】
この多機能スライドグラス２４においても密閉空間６に、磁性体、浮力発生部材、ＩＣチップなどの機能部材８を封入することにより、多機能スライドグラス２及び多機能スライドグラス２を用いて作製したプレパラート１０と同様に、多機能スライドグラス２４及び多機能スライドグラス２４を用いて作製したプレパラートに様々な機能を付加することができる。
【００３７】
図７は実施の形態に係る他の多機能スライドグラス２６の断面図である。この断面図は、図１に示すＡ−Ａの位置と同様な位置における、多機能スライドグラス２６の断面図である。なお多機能スライドグラス２６の説明においては、多機能スライドグラス２の構成と同一の構成には、多機能スライドグラス２の説明で用いたのと同じ符号を用いて説明を行う。
【００３８】
図７に示すように、本実施の形態に係る多機能スライドグラス２６は、矩形形状を有する樹脂製の板状部材４の長手方向の両端近傍に密閉空間６が形成されている。
【００３９】
ここで板状部材４は、板状部材４の一方の面５ａを形成する第１板状部材４ａ、板状部材４の他方の面５ｂを形成する第２板状部材４ｂを張り合わせて形成されている。第２板状部材４ｂの第１板状部材４ａに対向する面には、２つの凹部が形成されている。第２板状部材４ｂの上部に第１板状部材４ａが張り合わされることにより、第２板状部材４ｂに形成された２つの凹部が密閉空間６を構成する。
【００４０】
この多機能スライドグラス２６においても密閉空間６に、磁性体、浮力発生部材、ＩＣチップなどの機能部材８を封入することにより、多機能スライドグラス２及び多機能スライドグラス２を用いて作製したプレパラート１０と同様に、多機能スライドグラス２６及び多機能スライドグラス２６を用いて作製したプレパラートに様々な機能を付加することができる。
【００４１】
本実施の形態に係る多機能スライドグラスによれば、スライドグラスが割れることを防止すると共に、このスライドグラスを用いて作製したプレパラートに様々な機能を付加することができる。
【符号の説明】
【００４２】
２，２０，２２，２４，２６…多機能スライドグラス、４…板状部材、６…密閉空間、８…機能部材、１０…プレパラート、１２…試料、１４…カバーグラス
【図１】
2018155525.tif 000003
【図２】
2018155525.tif 000004
【図３】
2018155525.tif 000005
【図４】
2018155525.tif 000006
【図５】
2018155525.tif 000007
【図６】
2018155525.tif 000008
【図７】
2018155525.tif 000009